(57)【特許請求の範囲】
【請求項１】
遊技球が打ち出される遊技盤面の奥行方向に視認可能な遊技空間のある役物と、前記役物の内部に遊技球を導入する導入開口とを備えたパチンコ機において、
前記導入開口から導入された遊技球を前記役物の奥へ誘導した後に落下させる誘導路と、
前記誘導路から落下する遊技球の落下位置に配置されるとともに、前記誘導路から落下した遊技球を前記遊技空間の手前側に向けて転動させる転動面を有するジャンプ台と、
前記遊技空間の手前側に入賞口が設けられ、前記ジャンプ台からの遊技球が前記入賞口に入賞することを視認可能とする透明構造体と、を備え、
前記誘導路は、前記役物の奥側の先端部が下流となるように傾斜されるとともに前記役物内を上下に仕切るように設けられた誘導板を有し、
前記誘導板は、前記役物の奥側の先端部へ向かうほど、前記傾斜が急になるように前記役物の奥側の先端部を下方へ向けて湾曲した形状に形成され、
前記遊技球は、前記誘導板の先端部へ向かうほど速度が高められ、加速された状態で前記誘導板から落下することを特徴とするパチンコ機。
【請求項２】
前記誘導路を透明な部材から形成し、前記役物内を上下に仕切るように設けられた誘導板上の遊技球の流下軌跡を前記誘導板の下方から覗き見た場合に視認できるようにしたことを特徴とする請求項１記載のパチンコ機。
【請求項３】
前記誘導板は、
前記ジャンプ台を転動する遊技球の転動軌跡が前記入賞口へ向かう転動軌跡となるように、前記入賞口へ向かう転動軌跡と平行、かつ、遊技球一つ分の間隔を空けて前記誘導板上に設けられた左右一対のリブを有する案内路と、
前記リブの上流側の先端部へ向かうほど前記リブ間の距離が離れるように前記リブをＹ字状に形成することによって、前記案内路へと遊技球を案内する受入れ開口とを備えることを特徴とする請求項１または２記載のパチンコ機。
【請求項４】
前記誘導板は、前記導入開口側の支軸を支点として前記役物の奥側が上下に揺動するように弾性体により支持されており、この誘導板の上面を遊技球が流下されることを特徴とする請求項１〜３いずれか記載のパチンコ機。
【発明の詳細な説明】
【技術分野】
【０００１】
本発明は、パチンコ店などの遊技場に設置されるパチンコ機に関する。
【背景技術】
【０００２】
パチンコ機には、移動式の羽根により開閉される役物を備え、役物内に入った遊技球が更に役物内の入賞口に入ると遊技者に有利な当たりモードへ移行する羽根物（旧第二種）と呼ばれる機種がある。当たりモードはラウンド制となっており、１回のラウンドは、例えば、役物内に所定個数の遊技球が入った場合や、羽根が所定回数開閉した場合に終了する。また、ラウンド中に遊技球が入賞口に入ることで、例えば１５回を上限として次のラウンドに移行する。遊技者は、ラウンド数を多く消化することで、多くの賞球を得ることができる。
【０００３】
このように、羽根物のパチンコ機では、役物内の入賞口に遊技球が入ることで遊技者に有利となるので、遊技球が入賞口に入るまでのプロセスが遊技者にとって非常に興味を持つ部分である。このため、役物内の遊技球に意外な動きをさせることが遊技を演出するためのポイントとなる。
【０００４】
例えば、特許文献１，２記載のパチンコ機では、ジャンプ台を用いて遊技球を飛躍させて遊技を盛り上げている。すなわち、遊技球の描く放物線が遊技者の好奇心を駆り立てている。
【特許文献１】特開２００５−０００１９８号公報
【特許文献２】特開２００６−１７４９９５号公報
【発明の開示】
【発明が解決しようとする課題】
【０００５】
上記パチンコ機では、遊技盤に沿って遊技球を飛躍させているが、役物に奥行があるパチンコ機にあっては、役物に導入された遊技球を役物の奥へ飛躍させることも可能である。しかしながら、役物の奥へ遊技球を飛躍させる場合、入賞口を役物の奥に設けることとなり、入賞口に入賞する遊技球の視認性が悪くなる。
【０００６】
本発明は、上記課題を鑑みてなされたものであり、入賞口に入賞する遊技球の視認性に問題を生じさせることなく役物が有した奥行を利用して遊技を演出するパチンコ機を提供することを目的とする。
【課題を解決するための手段】
【０００７】
上記目的を達成するために、本発明のパチンコ機は、遊技球が打ち出される遊技盤面の奥行方向に視認可能な遊技空間のある役物と、前記役物の内部に遊技球を導入する導入開口とを備えたパチンコ機において、前記導入開口から導入された遊技球を前記役物の奥へ誘導した後に落下させる誘導路と、前記誘導路から落下する遊技球の落下位置に配置されるとともに、前記誘導路から落下した遊技球を前記遊技空間の手前側に向けて転動させる転動面を有するジャンプ台と、前記遊技空間の手前側に入賞口が設けられ、前記ジャンプ台からの遊技球が前記入賞口に入賞することを視認可能とする透明構造体と、を備え、前記誘導路は、前記役物の奥側の先端部が下流となるように傾斜されるとともに前記役物内を上下に仕切るように設けられた誘導板を有し、前記誘導板は、前記役物の奥側の先端部へ向かうほど、前記傾斜が急になるように前記役物の奥側の先端部を下方へ向けて湾曲した形状に形成され、前記遊技球は、前記誘導板の先端部へ向かうほど速度が高められ、加速された状態で前記誘導板から落下することを特徴としている。
【０００８】
前記誘導路を透明な部材から形成し、前記役物内を上下に仕切るように設けられた誘導板上の遊技球の流下軌跡を前記誘導板の下方から覗き見た場合に視認できることが好ましい。
【０００９】
前記誘導板は、前記ジャンプ台を転動する遊技球の転動軌跡が前記入賞口へ向かう転動軌跡となるように、前記入賞口へ向かう転動軌跡と平行、かつ、遊技球一つ分の間隔を空けて前記誘導板上に設けられた左右一対のリブを有する案内路と、前記リブの上流側の先端部へ向かうほど前記リブ間の距離が離れるように前記リブをＹ字状に形成することによって、前記案内路へと遊技球を案内する受入れ開口とを備えることが好ましい。
【００１０】
前記誘導板は、前記導入開口側の支軸を支点として前記役物の奥側が上下に揺動するように弾性体により支持されており、この誘導板の上面を遊技球が流下されることが好ましい。
【発明の効果】
【００１１】
本発明のパチンコ機は、役物の奥から遊技空間の手前側に向けて飛躍させるジャンプ台と、ジャンプ台で飛躍した遊技球が入賞可能な入賞口を有した、飛躍した遊技球を視認可能とする透明構造体と、を備えているので、入賞口に入賞する遊技球の視認性に問題を生じさせることなく遊技を演出することができる。
【発明を実施するための最良の形態】
【００１２】
図１及び図２に示すパチンコ機２は、本体枠３の内部に遊技盤４が設けられ、本体枠３の前面には前面扉５が開閉自在に組み付けられている。前面扉５の下方には、打球供給用の供給皿６及び遊技球７の発射強さを調節するハンドル８が設けられている。遊技盤４の遊技球７が発射される遊技領域４ａの略中央には、役物９が設けられている。
【００１３】
役物９は、外周が矩形状となるように形成されている。役物９の前面には、役物開口９ａが形成されており、役物開口９ａを介して内部の遊技空間を視認することができる。
【００１４】
役物９の左側上端部には、役物９の内部に遊技球７を導入する左導入開口９ｂが形成され、役物９の右側上端部には、役物９の内部に遊技球７を導入する右導入開口９ｃが形成されており、遊技領域４ａを流下する遊技球７は、各導入開口９ｂ，９ｃを通って役物９の内部に導入される。
【００１５】
役物９の左側上端部には、左導入開口９ｂを遮蔽する遮蔽位置（図１参照）と、左導入開口９ｂを開放する開放位置（図２参照）との間で開閉自在な左羽根部材１１が取り付けられている。役物９の右側上端部には、右導入開口９ｃを遮蔽する遮蔽位置（図１参照）と、右導入開口９ｃを開放する開放位置（図２参照）との間で開閉自在な右羽根部材１２が取り付けられている。左羽根部材１１及び右羽根部材１２は、それぞれ羽根開閉用モータ１８（図５参照）により開閉するように制御される。羽根開閉用モータ１８は、制御基板５０のＣＰＵ５１（図５参照）に接続され、ＣＰＵ５１により駆動が制御される。
【００１６】
役物９の下方には、左開放チャッカー１３、中央開放チャッカー１４、右開放チャッカー１５、及びアウト口１６が設けられている。遊技者は、供給皿６に遊技球７を投入して遊技球７を供給皿６内に設けられた誘導路を介して球発射装置１７（図５参照）へと導き、回動式のハンドル８を所定量回動して球発射装置１７の駆動を制御することで、遊技盤４の遊技領域４ａの上方に向けて遊技球７を発射させる。発射された遊技球７は、遊技領域４ａの上方から流下する途中で役物９内部及び各開放チャッカー１３〜１５のいずれかに入るか、あるいはアウト口１６から回収される。なお、パチンコ機２の遊技領域４ａに設けられた複数の釘、風車などの構造体は公知であるので、図示及び説明を省略する。
【００１７】
左開放チャッカー１３の内部には左入賞検知センサ２３が、中央開放チャッカー１４の内部には中央入賞検知センサ２４が、右開放チャッカー１５の内部には右入賞検知センサ２５が、それぞれ設けられている（図５参照）。各入賞検知センサ２３〜２５は、遊技球７の入賞を検知するものであり、遊技球７の入賞を検知したことに応答して、ＣＰＵ５１（図５参照）にチャッカー入賞信号を出力する。
【００１８】
図３及び図４に示すように、役物９の内部には、各導入開口９ｂ，９ｃから導入された遊技球７を役物開口９ａ側から役物９の奥へ誘導する誘導板（誘導路）３１と、役物９の奥へ誘導された遊技球７を役物開口９ａ側へ飛躍させるジャンプ台３２と、入賞口３３が形成された透明材料（例えば、アクリル樹脂）からなる箱体（透明構造体）３４と、誘導板３１を弾性的に支持するコイルバネ３５とが設けられている。
【００１９】
誘導板３１は、役物９ａの奥側の先端部３１ａが下流となるよう傾けて、役物９内を上下２段に仕切るように配置されている。この誘導板３１は、その表面に複数の突起３６を有しており、役物開口９ａ側の支軸３７を支点にして、先端部３１ａが上下方向に揺動する。先端部３１ａは、下方に向けて湾曲した形状であり、誘導板３１を転動した遊技球７は先端部３１ａから落下する。つまり、誘導板３１は、役物開口９ａ側（正面側）が遊技球７をなだらかに流下させる緩い傾斜で、役物９ａの奥側に進むにつれ傾斜が急になって遊技球７の落下速度を高めるようになっている。これにより、誘導板３１の正面側を流下する遊技球７の動きが遊技者に追い易くなっている。
【００２０】
ジャンプ台３２は、誘導板３１の先端部３１ａから遊技球７が落下する位置に配置されている。このジャンプ台３２は、遊技球７が役物開口９ａ側に向けて転動する湾曲した傾斜面３２ａを有している。傾斜面３２ａの先端部３２ｂは、上方に向けてわずかに傾斜しており、傾斜面３２ａを流下した遊技球７は、先端部３２ｂから役物開口９ａに向けて斜め上方に飛躍する。
【００２１】
箱体３４は、透明材料で形成される中空の直角三角柱状であり、斜面３４ａを形成する背面側略中央部に、遊技球７が入賞可能な入賞口３３を有しており、その内部は、入賞した遊技球７を収容する球収容空間となっている。この箱体３４は、前後方向に往復移動するように役物開口９ａの正面側近傍に設けられている。
【００２２】
箱体３４は、その斜面３４ａとその対向する面３４ｂとを介してジャンプ台３２から飛躍してくる遊技球７を視認させることができる。また、箱体３４の斜面３４ａは、飛躍してくる遊技球７が衝突可能な面となっており、入賞口５６よりも上方の領域に衝突して勢いの減衰した遊技球７を入賞口５６へと案内できるようになっている。
【００２３】
入賞口３３は、役物９の底面よりも上方に位置しており、ジャンプ台３２を飛躍した遊技球７や、誘導板３１に形成された貫通孔３９から落下した遊技球７が入賞される。
【００２４】
箱体３４の球収容空間における下面はその中央部に向けて傾斜する漏斗状のテーパ面となっている。そして箱体３４の下面中央部には、入賞口３３から入賞した遊技球７を集約し、箱体３４から排出する排出口４１が形成されている。また、役物９の底面には、箱体３４が最も役物開口９ａ寄りに移動したときに排出口４１と重なる位置に、回収口４２が形成されている。回収口４２の内部には、当たり入賞検知センサ４６（図５参照）が設けられている。当たり入賞検知センサ４６は、遊技球７の入賞を検知するものであり、遊技球７の入賞を検知したことに応答して、ＣＰＵ５１（図５参照）に当たり入賞検知信号を出力する。
【００２５】
コイルバネ３５は、誘導板３１の下面と、役物９の左右の側壁からそれぞれ水平方向に突出するように設けられた台座４０との間に介在し、誘導板３１を下から上へ持ち上げつつ弾性的に支持する。このコイルバネ３５は、誘導板３１が揺動することで縮退し、縮退することで誘導板３１を付勢する。
【００２６】
また、役物９の下面には、入賞口３３に入賞しなかった遊技球７を回収するアウト口４３が形成され、そのアウト口４３に向けて流下する斜面が形成されている。
【００２７】
図５に示すＣＰＵ５１は、左入賞検知センサ２３及び右入賞検知センサ２５の何れかからチャッカー入賞信号が入力されたことに応答して、羽根開閉用モータ１８の駆動を制御して、各羽根部材１１，１２を、所定時間（例えば、０．５秒）開放して閉じる開閉動作を行う。遊技者は、各羽根部材１１，１２が開放している間に、遊技球７が各羽根部材１１，１２を転動して各導入開口９ｂ，９ｃに入るように、遊技球７を発射させる。なお、各羽根部材１１，１２を０．５秒開放して閉じる開閉動作とは、遮蔽位置に位置する各羽根部材１１，１２を開放位置まで変位させた後、遮蔽位置まで変位させるまでの時間が０．５秒であることを示している。また、各羽根部材１１，１２は、羽根開閉用モータ１８の駆動により、遮蔽位置から開放位置まで変位するために０．１秒、開放位置から遮蔽位置まで変位するために０．１秒かかるようにされている。このため、各羽根部材１１，１２を０．５秒開放して閉じるときには、各羽根部材１１，１２は０．３秒開放位置に位置することとなる。
【００２８】
ＣＰＵ５１は、中央入賞検知センサ２４からチャッカー入賞信号が入力されたことに応答して、羽根開閉用モータ１８の駆動を制御して、各羽根部材１１，１２を０．５秒開放して閉じる動作を２回繰り返す。
【００２９】
役物９内には、各導入開口９ｂ，９ｃを通過した遊技球７を検知する役物入賞検知センサ４５（図５参照）が設けられている。役物入賞検知センサ４５は、遊技球７を検知したことに応答して、制御基板５０のＣＰＵ５１に役物入賞検知信号を出力する。そして、ＣＰＵ５１は、役物入賞検知信号が入力されたことに応答して、所定数量（例えば、１０発）の遊技球７を供給皿６に払い出す制御を行うとともに、箱体移動機構３８（図５参照）の駆動を制御して、箱体３４の前後方向の往復移動を所定回数（例えば、５回）行う。
【００３０】
図５に示すように、パチンコ機２の内部に配された制御基板５０には、ＣＰＵ５１、ＲＯＭ５２が設けられている。ＲＯＭ５２には、パチンコ機２での制御に係る制御データが記憶されており、ＣＰＵ５１は、ＲＯＭ５２に記憶された制御データを読み込んでパチンコ機２の制御を行う。羽根開閉用モータ１８、箱体移動機構３８、ＲＯＭ５２はＣＰＵ５１に接続されており、ＣＰＵ５１により駆動が制御される。また、制御基板５０には、ＣＰＵ５１によって演算処理されたデータ等を一時的に記憶させるＲＡＭ５３が設けられている。
【００３１】
ＣＰＵ５１は、各入賞検知センサ２３〜２５からチャッカー入賞信号が入力されたことに応答して、羽根開閉用モータ１８の駆動を制御して、各羽根部材１１，１２の開閉動作を行う。
【００３２】
遊技球７が入賞口３３に入賞したときには、当たりとなり、ＣＰＵ５１は、各羽根部材１１，１２を、所定時間（例えば、５秒）開放してから閉じる開閉動作を１８回行うか、遊技球７が各導入開口９ｂ，９ｃから１０発導入された（ＣＰＵ５１に、役物入賞検知センサ４５から役物入賞検知信号が１０回入力された）ことを１ラウンドとして、１５ラウンドを上限として継続する当たりモードに移行させる。
【００３３】
当たりモードでは、各羽根部材１１，１２の開閉動作が１８回行われるか、遊技球７が各導入開口９ｂ，９ｃから１０発導入されたことに応答して、ＣＰＵ５１は、ラウンドを終了するように制御する。また、ラウンド中に遊技球７が入賞口３３に入賞したことに応答して、ＣＰＵ５１は、次のラウンドに移行するように制御する。
【００３４】
１５ラウンドでは、遊技球７の入賞口３３への入賞の有無に関わらず、各羽根部材１１，１２の開閉動作が１８回行われるか、遊技球７が各導入開口９ｂ，９ｃから１０発導入されたことに応答して、ＣＰＵ５１は、当たりモードを終了する。
【００３５】
次に、上記構成のパチンコ機２の作用について説明する。各開放チャッカー１３〜１５に遊技球７が入賞すると、各入賞検知センサ２３〜２５からチャッカー入賞信号が出力され、ＣＰＵ５１に入力される。ＣＰＵ５１は、チャッカー入賞信号が入力されたことに応答して、羽根開閉用モータ１８の駆動を制御し、各羽根部材１１，１２の開閉動作を行う。
【００３６】
各羽根部材１１，１２が開放している間に、遊技球７が各羽根部材１１，１２を転動して各導入開口９ｂ，９ｃから役物９内に導入されると、役物入賞検知センサ４５から役物入賞検知信号が出力され、ＣＰＵ５１に入力される。ＣＰＵ５１は、役物入賞検知信号が入力されたことに応答して、箱体移動機構３８の駆動を制御し、箱体３４の前後方向の往復移動を所定回数行う。
【００３７】
各導入開口９ｂ，９ｃから役物９内に導入された遊技球７は、誘導板３１を転動して役物９の奥へ誘導される。誘導板３１上の遊技球７は、誘導板３１の表面に複数形成された突起３６に当たることで方向を変化させながら転動する。誘導板３１は、その表面を転動する遊技球７の重みでコイルバネ３５を付勢して、支軸３７を支点にして揺動する。誘導板３１が揺動することで遊技球７の転動する勢いが変化する。
【００３８】
役物９の奥へ誘導された遊技球７は、誘導板３１の先端部３１ａからジャンプ台３２に落下する。ジャンプ台３２に落下した遊技球７は、傾斜面３２ａを転動して勢いを増し、その先端部３２ｂから役物開口９ａに向けて斜め上方に飛躍する。
【００３９】
役物開口９ａに向けて飛躍した遊技球７は、飛躍する勢いや方向、及び前後方向に往復移動する箱体３４の位置に応じて、箱体３４の背面側に形成された入賞口３３に入賞したり、入賞口３３に入賞せずにアウト口４３に回収されたりする。
【００４０】
また、各導入開口９ｂ，９ｃから役物９内に導入された遊技球７の一部は、誘導板３１に形成された貫通孔３９から落下する。貫通孔３９から落下した遊技球７は、箱体３４の位置に応じて、箱体３４の背面側に形成された入賞口３３に入賞したり、入賞口３３に入賞せずにアウト口４３に回収されたりする。
【００４１】
このように、役物９内に導入された遊技球７は、役物９の奥に配置されたジャンプ台３２から役物開口９ａの近傍に位置する入賞口３３に向けて飛躍する。入賞口３３は、役物開口９ａの近傍に位置しており、その視認性に問題はない。役物９の奥行方向に遊技球７を飛躍させることで遊技が演出され、遊技者の興味を持続させている。
【００４２】
また、別の実施形態として、図６に示すように、遊技球７の流下軌跡を下方から覗き見た場合であっても視認できる透明な誘導板６１の上面に、入賞口３３の方向に向かって遊技球７が飛躍し易くするよう流下させる案内路６２を形成させるようにしても良い。案内路６２は、ジャンプ台３２から入賞口３３へと遊技球７を入賞させる飛躍軌跡６３と平行な流下軸線６４となるように、遊技球７一つ分の間隔を空けて設けられた左右一対のリブ６５により形成されている。リブ６５の先端は、遊技球７が案内路６２に誘導される可能性を高めるために、Ｙ字状の受入れ開口６５ａを形成している。また、受入れ開口６５ａの上流側には、案内路６２に向かって流下する遊技球７の障害となる円柱形状の障害物６６が設けられている。障害物６６は、これに衝突した遊技球７のその後の流下方向を不規則にする。
【００４３】
また、上記各実施形態では、入賞口３３は、箱体３４の背面側に形成されていたが、透明材料からなる構造体に設けられていれば良く、例えば図７に示すように、透明板（透明構造体）５５の背面側であって、役物９の底面よりも上方に位置するように入賞口５６が設けられていても良い。この実施形態の入賞口５６は、遊技球７をそのままスルーさせる通過口であって、その通過口内に設けた球検知センサ（図示せず）によるＶ入賞球検知に基づいて当たりモードへと移行させる。なお、役物９のテーパ状の底面に設けられるアウト口４３は、球検知センサがＶ入賞球検知した球技球７についても回収する。
【００４４】
また、透明板５５は、ジャンプ台３２から飛躍してくる遊技球７を視認させることができるとともに、飛躍してくる遊技球７が衝突可能となっており、入賞口５６よりも上方の領域に衝突して勢いの減衰した遊技球７を入賞口５６へと案内できるようになっている。さらに、透明板５５には、縦方向・横方向に目盛５５ａが形成され、飛躍してくる遊技球７が入賞口５６に入賞するか否かを遊技者に予測させるようになっている。なお、透明板５５の入賞口５６が設けられている面とは反対側の正面側に、この入賞口５６と役物９の底面に設けた回収口４２（図４参照）と連通する連通路を設けるようにしても良い。
【００４５】
また、上記各実施形態では、ジャンプ台３２が役物９の奥まった位置にあるため、ジャンプ台３２から飛躍するタイミングの遊技球７が視認され難い。遊技球７が飛躍するタイミングを報知するために、ジャンプ台３２の傾斜面３２ａの先端部３２ｂ近傍に、遊技球７を検知する球検知センサ（例えば、フォトセンサ）を設け、この球検知センサを所定の警報装置（図示せず）に接続しても良い。これにより、飛躍するタイミングの遊技球７を球検知センサが検知し、球検知センサからの検知信号を受けた警報装置がその旨を報知することができる。
【００４６】
また、上記各実施形態では、誘導板３１は、コイルバネ３５に弾性的に支持され、遊技球７の重みで揺動したが、モータの動力を用いて揺動させても良い。
【００４７】
また、上記各実施形態では、誘導板３１に形成された貫通孔３９は、常に開放されているが、貫通孔３９を開閉するシャッタを設けても良い。例えば、このシャッタを、遊技球７が入賞口３３，５６に入賞した際に所定時間開放することで、遊技がさらに演出される。
【００４８】
また、上記各実施形態において、ジャンプ台３２が有する傾斜面３２ａの先端部３２ｂの傾斜角度を可変となるようにしても良い。
【００４９】
また、上記各実施形態では、役物９の内部に誘導板３１を設けたが、役物９内に導入された遊技球７を役物９の奥へ誘導できれば良く、誘導板３１に代わりにパイプやチャンネルなどを設けても良い。
【００５０】
また、上記各実施形態では、羽根物と呼ばれるパチンコ機２に本発明を実施したが、一発台と呼ばれるパチンコ機や、デジパチと呼ばれるパチンコ機に実施しても良い。
【図面の簡単な説明】
【００５１】
【図１】パチンコ機の外観斜視図である。
【図２】羽根部材が開放位置に位置するときのパチンコ機の外観斜視図である。
【図３】役物の構成を示す一部破断斜視図である。
【図４】遊技球の動きを示す役物の一部破断側面図である。
【図５】パチンコ機の電気的構成を示すブロック図である。
【図６】別の実施形態の役物の構成を示す一部破断斜視図である。
【図７】入賞口が形成された透明板の斜視図である。
【符号の説明】
【００５２】
２  パチンコ機
７  遊技球
９  役物
３１，６１  誘導板（誘導路）
３２  ジャンプ台
３３，５６  入賞口
３４  箱体（透明構造体）
５５  透明板（透明構造体）
【図１】
0005216282.tif 000002
【図２】
0005216282.tif 000003
【図３】
0005216282.tif 000004
【図４】
0005216282.tif 000005
【図５】
0005216282.tif 000006
【図６】
0005216282.tif 000007
【図７】
0005216282.tif 000008